(57)【要約】【課題】棚板前端部から商品の落下を防止しながら、商品のフロント面を効果的に照明可能で、観察者が眩しくなく商品を観察できる商品落下防止用ガードを提供し、この商品落下防止用ガードを用いて棚板上の商品を効果的に照明可能な照明装置およびショーケースを提供する。【解決手段】光源に対向する端面である下面１１から入射した光を、平面状の前面１３と後面１４との間で反射しながら上面１２に向けて導光して、上面１２から商品に向けて射出すると共に、前面１３に、入射した光を透過せず後面に向けて拡散して反射する所定形状の拡散反射部２２を設けた透明基材からなる商品落下防止用ガード１とし、この商品落下防止用ガード１を用いた照明装置１０とし、この照明装置１０を棚板５の先端部に設けた棚板ユニットを備えたショーケースＳＣとした。【選択図】図１
2012217612.tif 000002
【特許請求の範囲】
【請求項１】
ショーケースの棚板の前端に装着して棚板上に陳列する商品の落下を防止する商品落下防止用ガードであって、
平面状の前面と後面と、上下の端面となる上面と下面と、を有する板状の透明基材からなり、前記下面に対向して設置する光源が出射する光を、前記下面から入射して前記前面と後面との間で反射しながら前記上面に向けて導光し、前記上面から前記商品に向けて射出すると共に、前記前面に、入射した光を透過せず前記後面に向けて拡散して反射する所定形状の拡散反射部を設けたことを特徴とする商品落下防止用ガード。
【請求項２】
前記拡散反射部は、前記前面の所定部位に設けられる複数のドット状もしくはストライプ状とされることを特徴とする請求項１に記載の商品落下防止用ガード。
【請求項３】
前記拡散反射部は、前記基材側に密着した拡散層と、該拡散層に積層される反射層とを有し、前記拡散層は前記光源からの光を拡散し、前記反射層は前記拡散層を透過した光を反射することを特徴とする請求項１または２に記載の商品落下防止用ガード。
【請求項４】
前記光源から出射され前記下面から入射した光は、前記前面と前記後面との間で全反射されながら前記上面に向けて導光されることを特徴とする請求項１から３のいずれかに記載の商品落下防止用ガード。
【請求項５】
前記光源は、前記下面に向けて光を出射する複数の点状光源からなることを特徴とする請求項１から４のいずれかに記載の商品落下防止用ガード。
【請求項６】
前記上面は、前記商品側に傾いた射出面を有することを特徴とする請求項１から５のいずれかに記載の商品落下防止用ガード。
【請求項７】
棚板を備えるショーケースに用いる照明装置であって、前記棚板の長手方向に間隔をおいて配設する複数の点状光源と、該光源から出射する光を前記長手方向と直交する方向に導光する導光体として請求項１から６のいずれかに記載された商品落下防止用ガードを用いていることを特徴とする照明装置。
【請求項８】
前記棚板は、その前端部にプライスレールを有し、前記商品落下防止用ガードは前記棚板と前記プライスレールに挟まれて保持され、前記点状光源は、前記プライスレールと一体とされることを特徴とする請求項７に記載の照明装置。
【請求項９】
前記点状光源はＬＥＤ光源からなることを特徴とする請求項７または８に記載の照明装置。
【請求項１０】
請求項７から９のいずれかに記載された照明装置を備えた棚板を有することを特徴とするショーケース。
【発明の詳細な説明】
【技術分野】
【０００１】
本発明は、棚板に用いる商品落下防止用ガードおよび照明装置に関し、例えば、ショーケース等に配設され、ショーケースに陳列される商品の照明に好適な商品落下防止用ガード、およびこの商品落下防止用ガードを用いた照明装置、ショーケースに関する。
【背景技術】
【０００２】
従来から、ショーケースに配設され、ショーケースに陳列された商品を照明するものとして、蛍光灯が広く用いられている。蛍光灯は、一般に電気エネルギーを可視放射、赤外放射、紫外放射に変換し、可視光線を放射することで、照明として用いるものである。その際、熱損失が生じるため、蛍光灯自体のみならず、当該蛍光灯による輻射熱によって、陳列された商品が加熱されるという問題があり、ショーケース用の照明装置の光源としては、必ずしも好ましいものとはいえない。
【０００３】
近年、発光効率の向上や発光量の増加と共に、寿命が長く消費電力が小さくて、環境にやさしいとされるＬＥＤ（Light Emitting Diode：発光ダイオード）を用いた照明装置が実用化されつつある。また、青色ＬＥＤチップが開発されて以来、この青色ＬＥＤチップと、このＬＥＤチップからの光に励起されて所定波長の励起光を発光する蛍光体と、を組み合わせて白色発光する白色ＬＥＤ光源や、青色ＬＥＤチップと緑色ＬＥＤチップと赤色ＬＥＤチップとの三原色のＬＥＤチップを用いて白色光を合成する白色ＬＥＤ光源が開発されている。
【０００４】
そのために、照明装置として、この白色ＬＥＤ光源を配設したＬＥＤ照明装置を用いると、消費電力削減や製品寿命の長寿命化を図ることができて好ましい。特に、ショーケースなどの陳列棚の照明装置として、消費電力が小さく、発熱も小さいＬＥＤ光源を用いることが模索されており、例えば、陳列棚の先端に設けられたプライスレール内にＬＥＤ光源を配設して、光源の手前側に設けた反射板を介して棚の上下を照射するとしたショーケースが既に提案されている（例えば、特許文献１参照）。
【０００５】
また、陳列棚の前端部に立設される商品落下防止用のガードの下側にＬＥＤ照明装置を配設し、棚上の商品に向けて照射する構成のショーケースが既に提案されている（例えば、特許文献２参照）。
【０００６】
また、棚板上の商品を前下方から効果的に照明するために、棚板の下面の前部の照明灯を取り付け、偏向手段を介して、照明灯から上方に照射された光を棚板上の後方に偏向する構成の棚板照明装置が既に提案されている（例えば、特許文献３参照）。
【先行技術文献】
【特許文献】
【０００７】
【特許文献１】特開２０１０−７８２５１号公報
【特許文献２】特開２０１０−８２１１５号公報
【特許文献３】特開２００１−２３８７７４号公報
【発明の概要】
【発明が解決しようとする課題】
【０００８】
ところで、特許文献１に記載された発明では、プライスレール自体で商品の落下防止を行うと、プライスレールで商品を隠してしまう問題があり、商品がプライスレールに密着すると、商品のフロント面に照明されない部分が生じてしまう。また、別途透明なガードを用いると、ガードで照明光が観察者側に反射されるので観察者が眩しく、照明光の効率が悪化するという問題が生じる。
【０００９】
特許文献２に記載された発明では、ガードを透光性の板材製として、ガードの観察者側に反射面を設け、このガードを通してＬＥＤ光源から出射する光を棚上の商品に向けて照射しているので、ガードを透過して商品が見えない問題が生じる。
【００１０】
また、特許文献３に記載された発明は、偏向手段（導光体）を介して照明光を棚板の上方に導くものであるが、観察者側に向けても照明するので眩しく、商品が見え難くなってしまい問題となる。
【００１１】
従って、商品落下防止用ガードを備えた棚板であっても、棚板上に陳列した商品を効果的に照明できることが好ましく、商品のフロント面を観察し易い構成であることが好ましい。
【００１２】
また、低コスト化と意匠性を向上させるためには、商品落下防止用ガードを用いて、光源から出射する光を所望の方向に効率よく導光して、棚板上に陳列した商品を効果的に照明できる構成の照明装置を構築することが好ましい。
【００１３】
本発明は、上記の事情に鑑みてなされたものであって、棚板前端部から商品の落下を防止しながら、商品のフロント面を効果的に照明可能で、観察者が眩しくなく商品を観察できる商品落下防止用ガードを提供し、この商品落下防止用ガードを用いて棚板上の商品を効果的に照明可能な照明装置およびショーケースを提供することを目的とする。
【課題を解決するための手段】
【００１４】
上記目的を達成するために本発明は、ショーケースの棚板の前端に装着して棚板上に陳列する商品の落下を防止する商品落下防止用ガードであって、平面状の前面と後面と、上下の端面となる上面と下面と、を有する板状の透明基材からなり、前記下面に対向して設置する光源が出射する光を、前記下面から入射して前記前面と後面との間で反射しながら前記上面に向けて導光し、前記上面から前記商品に向けて射出すると共に、前記前面に、入射した光を透過せず前記後面に向けて拡散して反射する所定形状の拡散反射部を設けたことを特徴としている。
【００１５】
上記の構成によると、平面状の前面と後面との間で反射しながら上面まで導光される光は、棚板上の商品に向けて射出され、前面に設ける拡散反射部で拡散反射されて全反射角を外れた光は後面から商品に向けて射出される。そのために、棚板上の商品の落下を防止しながら、商品のフロント面を効果的に照明できる。また、棚板の前方に位置する観察者側を照明しないので、眩しさを感じさせずに、このガードを通して商品を観察可能な商品落下防止用ガードを得ることができる。
【００１６】
また本発明は上記構成の商品落下防止用ガードにおいて、前記拡散反射部は、前記前面の所定部位に設けられる複数のドット状もしくはストライプ状とされることを特徴としている。この構成によると、一部の光を拡散反射して後面に向けて導光し、全反射角を外れた光が後面から射出して、例えば、商品のフロント面下部を照明することができる。
【００１７】
また本発明は上記構成の商品落下防止用ガードにおいて、前記拡散反射部は、前記基材側に密着した拡散層と、該拡散層に積層される反射層とを有し、前記拡散層は前記光源からの光を拡散し、前記反射層は前記拡散層を透過した光を反射することを特徴としている。この構成によると、拡散反射部に入射した光を確実に拡散して反射することができ、商品側に向けて所定の角度範囲に拡散された照明光を射出することができる。
【００１８】
また本発明は上記構成の商品落下防止用ガードにおいて、前記光源から出射され前記下面から入射した光は、前記前面と前記後面との間で全反射されながら前記上面に向けて導光されることを特徴としている。この構成によると、光源から出射される光を効率よく照明光として利用することができ、拡散反射部以外の面からも光が漏洩せず、観察者が眩しくならない。
【００１９】
また本発明は上記構成の商品落下防止用ガードにおいて、前記光源は、前記下面に向けて光を出射する複数の点状光源からなることを特徴としている。この構成によると、光源は、商品落下防止用ガードの下面の下側に配置されるので、光源部で商品を隠さず、棚板上の商品を容易に観察することができる。また、点状光源を用いているので、幅の薄い板状の商品落下防止ガードでよく、小さなサイズにでき小型化が可能となる。
【００２０】
また本発明は上記構成の商品落下防止用ガードにおいて、前記上面は、前記商品側に傾いた射出面を有することを特徴としている。この構成によると、射出面から出た光が商品側に向かうので、商品落下防止ガードより上側の部分も効率よく照らし、観察者も眩しくない。また、光源から最も離れた面に射出面を設けることで、光源から射出部に至る光路長を最大に確保でき、より小型で均一に混ざり合った照明光を射出可能となる。
【００２１】
また本発明は、棚板を備えるショーケースに用いる照明装置であって、前記棚板の長手方向に間隔をおいて配設する複数の点状光源と、該光源から出射する光を前記長手方向と直交する方向に導光する導光体として請求項１から６のいずれかに記載された商品落下防止用ガードを用いていることを特徴としている。この構成によると、この商品落下防止用ガードを用いて照明することで、棚板上に陳列した商品のフロント面を良好に照明できるので、棚板に好適な照明装置を得ることができる。
【００２２】
また本発明は上記構成の照明装置において、前記棚板は、その前端部にプライスレールを有し、前記商品落下防止用ガードは前記棚板と前記プライスレールに挟まれて保持され、前記点状光源は、前記プライスレールと一体とされることを特徴としている。この構成によると、光源部で発生する熱がプライスレールを介して放熱されるので、安定して照明可能で高効率の棚板用の照明装置を実現することができる。
【００２３】
また本発明は上記構成の照明装置において、前記点状光源はＬＥＤ光源からなることを特徴としている。この構成によると、高照度で、消費電力が小さく、発熱も小さいＬＥＤ光源を用いて、高効率の照明装置を実現することができる。
【００２４】
また本発明は、請求項７から９のいずれかに記載された照明装置を備えた棚板を有するショーケースであることを特徴としている。この構成によると、観察者が商品を観察するときの眩しさを低減し、棚板上の商品のフロント面を良好に照明可能な照明装置を棚板の先端部に設けた棚板ユニットを備えることで、棚板上に陳列された商品を良好に照明可能で観察可能なショーケースを得ることができる。
【発明の効果】
【００２５】
本発明によれば、光源に対向する端面である下面から入射した光を、平面状の前面と後面との間で反射しながら上面に向けて導光して、上面から商品に向けて射出すると共に、前面に、入射した光を透過せず後面に向けて拡散して反射する所定形状の拡散反射部を設けた透明基材からなる商品落下防止用ガードとしたので、棚板上の商品の落下を防止しながら、商品のフロント面を効果的に照明できる。また、前方に位置する観察者側を照明しないので、眩しさを感じさせずに、このガードを通して商品を観察可能な商品落下防止用ガードを得ることができる。また、この商品落下防止用ガードを用いた照明装置は、棚板に好適な照明装置となり、この照明装置を棚板の先端部に設けた棚板ユニットを備えることで、棚板上に陳列された商品を良好に照明可能で観察可能なショーケースを得ることができる。
【図面の簡単な説明】
【００２６】
【図１】本発明に係る商品落下防止ガードを有する照明装置を備えた棚板の先端部を示す概略断面図である。
【図２】第一実施形態の照明装置の概略断面図である。
【図３Ａ】拡散層と反射層を積層した拡散反射部を示す概略断面図である。
【図３Ｂ】拡散層のみの作用を説明する概略断面図である。
【図３Ｃ】一層のみで拡散反射機能を発揮する拡散反射部の一例を示す概略断面図である。
【図４】第二実施形態の照明装置の概要を示す概略断面図である。
【図５】第三実施形態の照明装置の概要を示す概略断面図である。
【図６】棚板に本発明に係る照明装置を装着したショーケースの一例を示す概略断面構成図である。
【発明を実施するための形態】
【００２７】
以下に本発明の実施形態を図面を参照して説明する。また、同一構成部材については同一の符号を用い、詳細な説明は適宜省略する。
【００２８】
まず、本発明に係る第一実施形態の商品落下防止ガード１について、また、この商品落下防止ガード１を備える照明装置１０について、図１および図２を用いて説明する。本実施形態に係る商品落下防止ガード１は、例えば、棚板５に陳列された商品Ｍ１などの落下を防止するためのものであり、棚板５の前端の長手方向に沿って設置される。また、光源（点状光源２）からの光を導光する照明光学系を兼ねるために、透明な板状の基材から構成している。
【００２９】
商品落下防止ガード１は、図２に示すように、光源（点状光源２）に対向する端面である下面１１と射出面となる上面１２と、これらの間の平面状の前面１３と後面１４とを備えた板状部材である。そのために、光源（点状光源２）から出射された光は、対向する平面状の前面１３と後面１４との間で反射しながら上面１２に向けて導光され、この上面１２から所定方向に向けて、例えば、棚板上の商品Ｍ１に向けて射出される。また、本実施形態では、前面１３に、入射した光を透過せず後面１４に向けて拡散して反射する所定形状の拡散反射部２２を設けた構成としている。
【００３０】
上記した構成であれば、平面状の前面１３と後面１４との間で反射しながら上面１２まで導光された光は、棚板上の商品Ｍ１に向けて射出され、前面１３に設ける拡散反射部２２で拡散反射されて全反射角を外れた光は後面１４から商品のフロント面下部に向けて射出される。そのために、棚板上の商品Ｍ１の落下を防止しながら、商品のフロント面を効果的に照明できる。また、棚板５の前方に位置する観察者側を照明しないので、眩しさを感じさせずに、このガードを通して商品を容易に観察可能となる。
【００３１】
例えば、図２に示す第一実施形態の照明装置１０は、光源（点状光源２）に対向して光源からの光が入射する下面１１と、商品落下防止ガード１内部を導光された光が射出する上面１２と、これらの間の平面状の前面１３と後面１４を備えている。また、この商品落下防止ガード１は透明な基材からなるので、拡散反射部２２が設けられていない部分は透光性を有し、この部分から、例えば、人の目４は商品を観察できる。
【００３２】
また、拡散反射部２２は、前面１３の所定部位に設けられる複数のドット状もしくはストライプ状とされる。この構成であれば、一部の光を拡散反射することになるので、後面１４に向けて全反射角から外れた角度に拡散された光が反射されて、この後面１４から射出し、例えば、商品のフロント面下部を効果的に照明する。
【００３３】
すなわち、光源（点状光源２）から出射された光のうち、対向する前面１３と後面１４との間で反射しながら上面１２に向けて導光された光は、上面１２から所定の方向に向けて射出される光束Ｄ２となる。例えば、この光束Ｄ２は、棚板上に陳列された商品のフロント面上部を照明する光束となる。また、前面１３の所定部位に設けられた拡散反射部２２により拡散反射された光は、全反射角から外れた光が後面１４から光束Ｄ１として射出され、例えば、商品のフロント面下部を照明する光束となる。
【００３４】
前面１３と後面１４は、板状の商品落下防止ガード１の下面１１から入射した光を全反射しながら導光可能に対向配置される。すなわち、光源（点状光源２）から出射され、板状の商品落下防止ガード１の下面１１から入射した光は、対向配置される前面１３と後面１４とで全反射しながら上面１２に向けて導光され、この光の一部が、拡散反射部２２で拡散反射されて商品落下防止ガード１の商品側に向かう面である後面１４から射出され、他の残りの光は、上面１２から商品のフロント面上部に向けて射出される。
【００３５】
また、拡散反射部２２で拡散反射された光の一部は、後面１４で反射された後、前面１３を透過して観察者側に至るものもあるが、後面１４での反射は反射率が高くないので、拡散反射された光が観察者の目に入ったとしても、観察者が眩しさを感じることはない。
【００３６】
このような商品落下防止ガード１を用いることで、棚板上に陳列された商品のフロント面上部とフロント面下部を同時に照明でき、光源（点状光源２）から出射された光を効率よく商品を照明する照明光として利用することができる。また、棚板５の前方に位置する観察者側を照明しないので、眩しさを感じさせない。
【００３７】
光源（点状光源２）は、例えば、基板２１にＬＥＤを搭載したチップ型のＬＥＤ光源であって、青色ＬＥＤチップと、このＬＥＤチップからの光に励起されて所定波長の励起光を発光する蛍光体と、を組み合わせて白色発光する白色ＬＥＤ光源を用いる。基板２１は、例えば、棚板の全幅を均一に照明するために、棚板の幅程度の長さとされ、この上に点状光源２となるＬＥＤ光源を所定ピッチで複数個搭載している。ただし、棚幅が広い場合は、複数の基板に分け、それぞれを電気的に接続する構成としてもよい。
【００３８】
棚板５の先端部に取り付けられる商品落下防止ガード１は、棚板５の長手方向に沿って長尺とされ、長寸の前面１３と後面１４を有している。また、下側の端面である下面１１に光出射部を向けるようにして、複数の点状光源２がこの長手方向に所定間隔で並設されている。このように、光源は、商品落下防止用ガード１の下面１１の下側に配置されるので、光源部で商品を隠さず、棚板上の商品を容易に観察することができる。また、点状光源２を用いているので、幅の薄い板状の商品落下防止ガード１でよく、小さなサイズにでき小型化が可能となる。
【００３９】
下側の端面である下面１１から入射した光は、平面状の前面１３と後面１４との間を反射しながら導光されて上側の端面である上面１２から射出する。また、上面１２は、その射出部が傾斜面とされ、例えば、商品側に傾いた射出面を有する構成とされる。この構成であれば、射出面から出た光が商品側に向かうので、商品落下防止ガード１より上側の部分も効率よく照らすことができ、観察者も眩しくない。また、光源から離れた面に射出面を設けることで、光源から射出部に至る光路長を最大に確保でき、より小型で均一に混ざり合った照明光を射出可能となる。
【００４０】
例えば、図１に示すように、商品落下防止ガード１は、棚板５と棚板５の先端に取り付けられたプライスレール３との間に挟まれて保持される。また、点状光源２を搭載する基板２１は、商品落下防止ガード１の下面１１と点状光源２の光出射面が対向するようにプライスレール３に保持される。
【００４１】
すなわち、棚板５は、その前端部にプライスレール３を有し、点状光源２は、プライスレール３と一体とされる。この構成であれば、光源部で発生する熱がプライスレール３を介して放熱されるので、安定して照明可能で高効率の棚板用の照明装置を実現することができる。
【００４２】
また、図２に示すように商品落下防止ガード１の前面１３に、複数のドット状またはストライプ状の拡散反射部２２を設けているので、点状光源２から出射した光の多くは、商品落下防止ガード１の下面１１から入射し、空気に接する前面１３と後面１４とで全反射しながら進行し、上面１２から主に商品側に射出（図中に示す光束Ｄ２）して商品のフロント面上部を照らすが、拡散反射部２２に入射した一部の光は、拡散されて全反射角から外れた角度で後面１４に入射して、この後面１４から商品のフロント面下部に向けて射出（図中に示す光束Ｄ１）する。
【００４３】
このドット状またはストライプ状の拡散反射部２２は、商品落下防止ガード１の前面１３の全面に設ける必要はなく、発光させる領域に対応した所定部分に、必要な明るさを得るのに必要な面積分設ければ足りる。また、設けるドット径やストライプ幅は、例えば、数十ミクロン程度でよく、肉眼では視認できない程度の大きさでよい。
【００４４】
次に、この拡散反射部２２の具体的な構成例について、図３Ａ〜図３Ｃを用いて説明する。
【００４５】
この図３Ａ〜図３Ｃは、図の上側が商品落下防止ガード１の前面側、すなわち、観察者側となっており、この商品落下防止ガード１の前面１３上の所定部分に所定形状の拡散反射部２２を設けている。
【００４６】
図３Ａは、拡散層２３と反射層２４をこの順に積層した拡散反射部２２を示している。拡散層２３は、例えば、シリカ、酸化チタン等の拡散剤を混入したインクを基材にドット状またはストライプ状に塗布（印刷）することで得られる。
【００４７】
一方、反射層２４は、拡散層２３に積層するようにして、例えば、銀やアルミなどの薄膜を蒸着することで得られる。尚、ドット径、またはストライプ幅を数十ミクロン程度にすることで、肉眼で視認されないようにでき、顧客等に違和感を覚えさせないようにできる。なお、ドット径を視認できる程度に大きくして、図形や文字などのパターンを描くようにしてもよい。
【００４８】
図３Ｂは、拡散層２３のみを設けた比較例を示す。この場合は、前面１３に導かれた光Ｒ１は、その一部が拡散反射された光Ｒ２となり、残りの光は通過してしまい前面側に透過した透過光Ｒ３が、商品を眺めている観察者（顧客）の目に入射して眩しさを感じさせる虞が生じるので、好ましくない。
【００４９】
これに対して、図３Ａの場合は、拡散層２３を通過した光は反射層２４で反射され、再び商品落下防止ガード１の前面１３から入射する光Ｒ３となる。これにより、商品落下防止ガード１の前面から出射する光の量を大幅に削減でき、商品を眺めている観察者（顧客）に眩しさを感じさせないようにできる。
【００５０】
また、拡散反射部２２は、図３Ｃに示すように、気泡および粒子が分散された多孔質の白色反射材２３ａを用いて形成した拡散反射部２２Ａであってもよい。このような白色反射材２３ａは、ポリオレフィン系樹脂に微粉末状の無機系充填剤を分散した後、延伸して気泡を含有させたフィルム状の素材で構成されるもので、高い反射率と拡散性を有し、光をほとんど透過しない性質を有する。
【００５１】
なお、多孔質の白色反射材２３ａとしては、含有する粒子の粒径が０．１〜１０μｍ、気泡により形成される空隙の含有率を１０〜８０容量％程度のものを用いるのが望ましい。このような多孔質の白色反射材２３ａを配合した拡散反射部２２Ａを設けることで、一層のみからなる拡散反射部２２Ａに入射した光が、この拡散反射部２２Ａを透過することを防ぎ、商品落下防止ガード１の前面から射出する光の量を大幅に削減することができる。
【００５２】
次に、その他の実施形態の照明装置について図４、図５を用いて説明する。図４は、第二実施形態の照明装置１０Ａの概要を示し、図５は、第三実施形態の照明装置１０Ｂを示す。
【００５３】
図４に示す第二実施形態の照明装置１０Ａは、拡散反射部２２の外側に接着剤２５を介して透明な平板状のカバー部材２６を接着したものである。このような構成の照明装置１０Ａであれば、カバー部材２６により拡散反射部２２の剥がれなどを抑制でき、取り扱い性に優れる。このカバー部材２６は、透明な平板状であれば、ガラス製でも樹脂製でもよいが、可撓性を有する材料であれば、曲面にも対応可能となり種々の形状に対する接着作業が容易となる。また、緩衝性を発揮して搬送や取り扱いを安全に行うことが可能となって好適である。
【００５４】
また、カバー部材２６に替えて透明皮膜（ハードコート）をコーティングしてもよく、図５に示す第三実施形態の照明装置１０Ｂのように、拡散反射部２２が設けられている商品落下防止ガード１の前面に透明樹脂製のハードコート２７を形成する。このような構成でも、ハードコート２７により、拡散反射部２２の剥がれなどを効果的に抑制して取り扱い性に優れた照明装置１０Ｂとなる。
【００５５】
上記のカバー部材２６やハードコート２７は、いずれも透明であるので、観察者がこの商品落下防止ガード１を通して商品のフロント面を視認することを妨げない。また、基板２１に搭載された点状光源２が出射する光を、観察者側へは射出せず、商品落下防止ガード１の後面や上面から射出するので、観察者は眩しくなく、商品を効率的に照明することができる。
【００５６】
そのために、これらの照明装置１０、１０Ａ、１０Ｂを棚板用の照明装置として用いることで、観察者が眩しくなく棚板上に陳列された商品を観察容易となるショーケースを実現できる。
【００５７】
例えば、図６に示すショーケースＳＣのように、台座１０１と本体枠１０２と冷却機１０３を備え、陳列室に複数の棚板５Ａ、５Ｂ、５Ｃを設け、それぞれの棚板の前端に棚板用の照明装置１０（１０Ａ、１０Ｂ）を装着した構成では、棚板５Ａに装着した照明装置１０（１０Ａ、１０Ｂ）が、棚板５Ａに載置された商品のフロント面を効率よく照明する照明光ＲＡ１を射出する。
【００５８】
また、棚板５Ｂに装着した照明装置１０（１０Ａ、１０Ｂ）は、棚板５Ｂに載置された商品のフロント面を効率よく照明する照明光ＲＡ２を射出し、棚板５Ｃに装着した照明装置１０（１０Ａ、１０Ｂ）は、棚板５Ｃに載置された商品のフロント面を効率よく照明する照明光ＲＡ３をそれぞれ射出する。
【００５９】
このように、棚板５を複数段備えるショーケースＳＣのそれぞれの棚板５に本実施形態に係る照明装置１０（１０Ａ、１０Ｂ）を装着して、棚板５上に陳列された商品を照明することで、ショーケースＳＣに陳列する商品を効率よく照明し、観察者が眩しくならないで、商品を容易に観察することができる。
【００６０】
点状光源２は、例えば、青色ＬＥＤと青色を受けて黄色を励起する黄色蛍光体を用いた白色ＬＥＤ光源である。また、白色ＬＥＤ光源に限らず点状光源であればよく、赤青緑の三原色ＬＥＤによる白色ＬＥＤ光源や、白色でないＬＥＤ光源を用いてもよい。
【００６１】
なお、点状光源としてチップ型のＬＥＤ光源を用いた実施形態例としたが、その他の点状光源であってもよく、例えば、レンズ付きや砲弾型のＬＥＤ光源を用いてもよい。
【００６２】
上記したように、本発明によれば、商品落下防止ガード１を、光源に対向する端面である下面から入射した光を、平面状の前面と後面との間で反射しながら上面に向けて導光して、上面から商品に向けて射出すると共に、前面に、入射した光を透過せず後面に向けて拡散して反射する所定形状の拡散反射部を設けた構成としたので、この透明基材からなる商品落下防止ガード１を介して、棚板上の商品の落下を防止しながら、商品のフロント面を効果的に照明できる。
【００６３】
また、棚板の前方に位置する観察者側を照明しないので、眩しさを感じさせずに、このガードを通して商品を観察可能な商品落下防止用ガードを得ることができる。また、この商品落下防止用ガード１を用いた照明装置１０は、棚板に好適な照明装置となり、この照明装置を棚板の先端部に設けた棚板ユニットを備えることで、棚板上に陳列された商品を良好に照明可能で観察可能なショーケースＳＣを得ることができる。
【００６４】
また、点状光源としてＬＥＤ光源を用いているので、高照度で、消費電力が小さく、発熱も小さいＬＥＤ光源を用いて、高効率の照明装置を実現することができる。
【産業上の利用可能性】
【００６５】
そのために、本発明に係る商品落下防止用ガードは、ショーケースの棚板上に陳列される商品を効率的に照明し、眩しくなく容易に観察するための照明装置の導光体として好適に適用することができる。
【符号の説明】
【００６６】
１    商品落下防止用ガード
２    点状光源（ＬＥＤ光源）
３    プライスレール
５    棚板
１０、１０Ａ、１０Ｂ  照明装置
１１    下面
１２    上面（射出面）
１３    前面
１４    後面
２１    基板
２２    拡散反射部
２３    拡散層
２４    反射層
２６    カバー部材
２７    ハードコート
【図１】
2012217612.tif 000003
【図２】
2012217612.tif 000004
【図３Ａ】
2012217612.tif 000005
【図３Ｂ】
2012217612.tif 000006
【図３Ｃ】
2012217612.tif 000007
【図４】
2012217612.tif 000008
【図５】
2012217612.tif 000009
【図６】
2012217612.tif 000010